(57)【要約】【課題】  一度に複数の装置の時刻を設定できかつ安価な時刻検出システムを提供する。【解決手段】  親子電話は、親機１０と子機２０とを含む。子機２０は、時刻を検出するＲＴＣと、時刻を受付けるテンキーと、テンキーが受付けた時刻に一致するように、ＲＴＣを制御するＣＰＵと、ＲＴＣが検出した時刻を送信する通信部とを含む。親機１０は、時刻を検出するＲＴＣと、子機２０が送信した時刻を受信する通信部と、留守録モードの指令を受付ける留守キーと、通信部が受信した時刻に一致するように、ＲＴＣを制御し、かつ留守キーが留守録モードの指令を受付けた後、メモリにＲＴＣが検出した時刻を表わす情報を書込むＣＰＵと、時刻を表わす音声、および情報を表わす音声を出力するスピーカとを含む。【選択図】        図１
2006093942.tif 000002
【特許請求の範囲】
【請求項１】
第１の装置と第２の装置とを含む時刻検出システムであって、
前記第１の装置は、
時刻を検出するための検出手段と、
時刻を受付けるための受付手段と、
前記検出手段が検出した時刻が、前記受付手段が受付けた時刻に一致するように、前記検出手段を制御するための制御手段と、
前記制御手段が前記検出手段を制御した後に前記検出手段が検出した時刻を送信するための送信手段とを含み、
前記第２の装置は、
時刻を検出するための検出手段と、
前記第１の装置が送信した時刻を受信するための受信手段と、
前記検出手段が検出した時刻が、前記受信手段が受信した時刻に一致するように、前記検出手段を制御するための制御手段と、
記録媒体に時刻を表わす情報を書込むことを許可する旨の指令を受付けるための受付手段と、
前記受付手段が時刻を表わす情報を書込むことを許可する旨の指令を受付けた後、前記記録媒体に前記検出手段が検出した時刻を表わす情報を書込むための書込み手段と、
前記制御手段が前記検出手段を制御しかつ前記受付手段が時刻を表わす情報を書込むことを許可する旨の指令を受付けた後に前記検出手段が検出した時刻を表わす音声、および前記書込み手段が前記記録媒体に書込んだ情報を表わす音声を出力するための出力手段とを含む、時刻検出システム。
【請求項２】
第１の装置と第２の装置とを含む時刻検出システムであって、
前記第１の装置は、
時刻を検出するための検出手段と、
時刻を受付けるための受付手段と、
前記受付手段が時刻を受付けると、前記検出手段が検出した時刻が、前記受付手段が受付けた時刻に一致するように、前記検出手段を制御するための制御手段と、
前記制御手段が前記検出手段を制御した後に前記検出手段が検出した時刻を送信するための送信手段と、
前記送信手段が前記時刻を送信した後に、前記第２の装置から時刻を受信するための受信手段と、
前記受信手段が時刻を受信した時点で前記検出手段が検出した時刻および前記受信手段が受信した時刻を出力するための出力手段とを含み、
前記第２の装置は、
時刻を検出するための検出手段と、
前記第１の装置が送信した時刻を受信するための受信手段と、
前記検出手段が検出した時刻が、前記受信手段が受信した時刻に一致するように、前記検出手段を制御するための制御手段と、
前記制御手段が前記検出手段を制御した後、前記検出手段が検出した時刻を送信するための送信手段とを含む、時刻検出システム。
【請求項３】
前記受付手段は、前記出力手段が時刻を出力した後は、前記受信手段が時刻を受信した時点で前記検出手段が検出した時刻および前記受信手段が受信した時刻のいずれかである時刻を受付けるための手段を含む、請求項２に記載の時刻検出システム。
【請求項４】
前記受付手段は、前記出力手段が時刻を出力した後は、前記受信手段が時刻を受信した時点で前記検出手段が検出した時刻および前記受信手段が受信した時刻のいずれかの指定により、時刻を受付けるための手段を含む、請求項２に記載の時刻検出システム。
【請求項５】
前記第２の装置は、
記録媒体に時刻を表わす情報を書込むことを許可する旨の指令を受付けるための受付手段と、
前記受付手段が時刻を表わす情報を書込むことを許可する旨の指令を受付けた後、前記記録媒体に前記検出手段が検出した時刻を表わす情報を書込むための書込み手段とをさらに含み、
前記第２の装置の送信手段は、前記制御手段が前記検出手段を制御した後、前記受付手段が時刻を表わす情報を書込むことを許可する旨の指令を受付けると、前記検出手段が検出した時刻を送信するための手段を含む、請求項２に記載の時刻検出システム。
【請求項６】
前記書込み手段は、前記受付手段が時刻を表わす情報を書込むことを許可する旨の指令を受付けた後に前記受信手段が時刻を受信すると、前記記録媒体に前記検出手段が検出した時刻を表わす情報を書込むための手段を含む、請求項５に記載の時刻検出システム。
【請求項７】
前記時刻を表わす情報を書込むための手段は、音声の情報を書込むための手段を含む、請求項６に記載の時刻検出システム。
【請求項８】
前記第２の装置は、前記制御手段が前記検出手段を制御しかつ前記受付手段が時刻を表わす情報を書込むことを許可する旨の指令を受付けた後に前記検出手段が検出した時刻を表わす音声、および前記書込み手段が前記記録媒体に書込んだ情報を表わす音声を出力するための出力手段をさらに含む、請求項５に記載の時刻検出システム。
【発明の詳細な説明】
【技術分野】
【０００１】
本発明は、時刻検出システムに関し、特に、電話機に内蔵される時刻検出システムに関する。
【背景技術】
【０００２】
特許文献１は、時刻を経時する経時回路と、音声合成回路と、人の接近を検知する検知回路とを具備し、検知回路の出力に基づいて、経時回路から現在時刻を読取り、現在事項を音声合成回路により音声信号に変換した後、音声で時刻を報知する電話装置を開示する。
【０００３】
この装置によると、わざわざ電話機の前に立ってキーを押し、時刻を確認するという作業を解消することができる。
【０００４】
特許文献２に係る電話装置は、親機とコードレス子機とからなる電話装置において、親機に時刻を経時する時計回路と、音声合成回路とを設け、コードレス子機に人体の接近を検知して親機に報知する検知回路を設け、子機から送出された検知回路の出力に基づいて、時計回路から現在時刻を読取り、音声合成回路により音声信号に変換した後、音声信号で時刻を送出することを特徴とする電話装置を開示する。
【０００５】
この発明によると、わざわざ電話機の前に立ってキーを操作して、時刻を確認するという作業を解消することができる。
【０００６】
特許文献３に係るコードレス電話は、子機および親機の一方が、時計回路と、この時計回路の経時した時刻などを表示する表示素子と、時計回路に時刻を設定するためのキーとを有し、このキーの操作により、時計回路に時刻を設定したとき、子機および親機の一方から子機および親機の他方に設定した時刻のデータを送信するようにしたコードレス電話を開示する。
【０００７】
この発明によると、親機および子機の時刻をそれぞれ合わせるという煩わしい作業を解消することができる。
【０００８】
特許文献４に係る時刻調整方法は、親子機間で時刻情報を相互に送受信し、時刻情報に基づいて親子機の時計時刻を同期させることを特徴とする。この方法によると、親子機間の経時回路の時刻調整を簡単化することができる。
【０００９】
特許文献５は、基準時刻データを発信する時刻データ発信基地局と、時刻データ発信基地局からの基準時刻データを受信する時刻データ受信回路と、外部の電子機器に対して基準時刻データを送信する時刻データ送信回路と、基準時刻データを記憶する基準時刻データ記憶回路とを有する携帯型通信端末と、時刻を記憶する時刻記憶回路と、時刻を経時する時刻経時回路と、時刻を表示する時刻表示素子と、携帯型通信端末から送信された基準時刻データを受信する機器側時刻データ受信回路と、時刻記憶回路に記憶された時刻を機器側事項データ受信回路において受信した基準時刻データに基づいて補正する制御を行なう時刻補正制御回路とを有する少なくとも１つの電子機器とを備える時刻検出システムを開示する。
【００１０】
特許文献５に開示された時刻検出システムによると、時計表示機能を備えた電子機器の時刻を携帯型通信端末を介して補正できる時刻検出システムを提供することができる。
【００１１】
しかしながら、特許文献１および特許文献２に開示された発明では、次のような問題点を有する。その問題点の第１は、親機および子機の時刻をそれぞれ設定する必要があるという問題点である。第２の問題点は、時刻を設定するためのコストが多くかかるという問題点である。
【００１２】
特許文献３〜特許文献５に開示された発明の場合、ユーザが設定後の時刻を確認するための回路によって電話機全体のコストが押し上げられるという問題点がある。
【特許文献１】特開平５−３７６０９号公報
【特許文献２】特開平５−４８６８９号公報
【特許文献３】特開平６−１６４４８４号公報
【特許文献４】特開平１１−２２５３７２号公報
【特許文献５】特開２００３−７５５６８号公報
【発明の開示】
【発明が解決しようとする課題】
【００１３】
本発明は、上述の問題点を解決するためになされたものであって、その目的は、一度に複数の装置の時刻を設定できかつ安価な時刻検出システムを提供することにある。
【課題を解決するための手段】
【００１４】
上記目的を達成するために、本発明のある局面にしたがうと、時刻検出システムは、第１の装置と第２の装置とを含む。第１の装置は、時刻を検出するための検出手段と、時刻を受付けるための受付手段と、検出手段が検出した時刻が、受付手段が受付けた時刻に一致するように、検出手段を制御するための制御手段と、制御手段が検出手段を制御した後に検出手段が検出した時刻を送信するための送信手段とを含む。第２の装置は、時刻を検出するための検出手段と、第１の装置が送信した時刻を受信するための受信手段と、検出手段が検出した時刻が、受信手段が受信した時刻に一致するように、検出手段を制御するための制御手段と、記録媒体に時刻を表わす情報を書込むことを許可する旨の指令を受付けるための受付手段と、受付手段が時刻を表わす情報を書込むことを許可する旨の指令を受付けた後、記録媒体に検出手段が検出した時刻を表わす情報を書込むための書込み手段と、制御手段が検出手段を制御しかつ受付手段が時刻を表わす情報を書込むことを許可する旨の指令を受付けた後に検出手段が検出した時刻を表わす音声、および書込み手段が記録媒体に書込んだ情報を表わす音声を出力するための出力手段とを含む。
【００１５】
すなわち、第１の装置の制御手段は、第１の装置の検出手段が検出した時刻が、第１の装置の受付手段が受付けた時刻に一致するように、第１の装置の検出手段を制御する。第２の装置の制御手段は、第２の装置の検出手段が検出した時刻が、受信手段が受信した時刻に一致するように、第２の装置の検出手段を制御する。第２の装置の出力手段は、第２の装置の制御手段が第２の装置の検出手段を制御しかつ第２の装置の受付手段が時刻を表わす情報を書込むことを許可する旨の指令を受付けた後に、第２の装置の検出手段が検出した時刻を表わす音声を出力する。これにより、第１の装置および第２の装置の検出手段が検出する時刻は同一になる。第２の装置の検出手段が検出する時刻は第２の装置の出力手段により確認できる。第２の装置の出力手段は、第２の装置の制御手段が第２の装置の検出手段を制御しかつ第２の装置の受付手段が時刻を表わす情報を書込むことを許可する旨の指令を受付けた後に第２の装置の検出手段が検出した時刻を表わす音声、および書込み手段が記録媒体に書込んだ情報を表わす音声を出力する。第２の装置の制御手段が第２の装置の検出手段を制御しかつ第２の装置の受付手段が時刻を表わす情報を書込むことを許可する旨の指令を受付けた後に第２の装置の検出手段が検出した時刻を表わす音声を出力するための手段と、書込み手段が記録媒体に書込んだ情報を表わす音声を出力するための手段とが兼用される。その結果、一度に複数の装置の時刻を設定できかつ安価な時刻検出システムを提供することができる。
【００１６】
本発明の他の局面にしたがうと、時刻検出システムは、第１の装置と第２の装置とを含む。第１の装置は、時刻を検出するための検出手段と、時刻を受付けるための受付手段と、受付手段が時刻を受付けると、検出手段が検出した時刻が、受付手段が受付けた時刻に一致するように、検出手段を制御するための制御手段と、制御手段が検出手段を制御した後に検出手段が検出した時刻を送信するための送信手段と、送信手段が時刻を送信した後に、第２の装置から時刻を受信するための受信手段と、受信手段が時刻を受信した時点で検出手段が検出した時刻および受信手段が受信した時刻を出力するための出力手段とを含む。第２の装置は、時刻を検出するための検出手段と、第１の装置が送信した時刻を受信するための受信手段と、検出手段が検出した時刻が、受信手段が受信した時刻に一致するように、検出手段を制御するための制御手段と、制御手段が検出手段を制御した後、検出手段が検出した時刻を送信するための送信手段とを含む。
【００１７】
すなわち、第１の装置の制御手段は、受付手段が時刻を受付けると、第１の装置の検出手段が検出した時刻が、受付手段が受付けた時刻に一致するように、第１の装置の検出手段を制御する。第２の装置の制御手段は、第２の装置の検出手段が検出した時刻が、第２の装置の受信手段が受信した時刻に一致するように、第２の装置の検出手段を制御する。これにより、第１の装置および第２の装置の検出手段が検出する時刻は同一になる。第１の装置の出力手段は、第１の装置の受信手段が時刻を受信した時点で第１の装置の検出手段が検出した時刻および第１の装置の受信手段が受信した時刻を出力する。第１の装置および第２の装置の検出手段が検出する時刻がいったん同一になった後、これらに差異が生じたか否かが明確になる。第２の装置の検出手段が検出する時刻は第１の装置の出力手段により確認できる。第２の装置の検出手段が検出する時刻を第２の装置において確認するための手段は不用となる。第１の装置および第２の装置の検出手段が検出する時刻に差異が生じても、差異を解消することができる。その結果、一度に複数の装置の時刻を設定でき、複数の装置の時刻に差異が生じても差異を解消でき、かつ安価な時刻検出システムを提供することができる。
【００１８】
また、上述の受付手段は、出力手段が時刻を出力した後は、受信手段が時刻を受信した時点で検出手段が検出した時刻および受信手段が受信した時刻のいずれかである時刻を受付けるための手段を含むことが望ましい。
【００１９】
すなわち、受付手段は、第１の装置の出力手段が時刻を出力した後は、第１の装置の受信手段が時刻を受信した時点で第１の装置の検出手段が検出した時刻および第１の装置の受信手段が受信した時刻のいずれかである時刻を受付ける。これにより、複数の装置の時刻に差異が生じても差異を早く解消できる。その結果、一度に複数の装置の時刻を設定でき、複数の装置の時刻に差異が生じても差異を早く解消でき、かつ安価な時刻検出システムを提供することができる。
【００２０】
また、上述の受付手段は、出力手段が時刻を出力した後は、受信手段が時刻を受信した時点で検出手段が検出した時刻および受信手段が受信した時刻のいずれかの指定により、時刻を受付けるための手段を含むことが望ましい。
【００２１】
すなわち、受付手段は、第１の装置の受信手段が時刻を受信した時点で第１の装置の検出手段が検出した時刻および第１の装置の受信手段が受信した時刻のいずれかの指定により、時刻を受付ける。これにより、複数の装置の時刻に差異が生じても差異をきわめて早く解消できる。その結果、一度に複数の装置の時刻を設定でき、複数の装置の時刻に差異が生じても差異をきわめて早く解消でき、かつ安価な時刻検出システムを提供することができる。
【００２２】
また、上述の第２の装置は、記録媒体に時刻を表わす情報を書込むことを許可する旨の指令を受付けるための受付手段と、受付手段が時刻を表わす情報を書込むことを許可する旨の指令を受付けた後、記録媒体に検出手段が検出した時刻を表わす情報を書込むための書込み手段とをさらに含むことが望ましい。あわせて、第２の装置の送信手段は、制御手段が検出手段を制御した後、受付手段が時刻を表わす情報を書込むことを許可する旨の指令を受付けると、検出手段が検出した時刻を送信するための手段を含むことが望ましい。
【００２３】
すなわち、第２の装置の送信手段は、第２の装置の制御手段が検出手段を制御した後、第２の装置の受付手段が時刻を表わす情報を書込むことを許可する旨の指令を受付けると、第２の装置の検出手段が検出した時刻を送信する。第１の装置の出力手段は、第１の装置の受信手段が時刻を受信した時点で第１の装置の検出手段が検出した時刻、および第２の装置の受付手段が時刻を表わす情報を書込むことを許可する旨の指令を受付けた後に第２の装置の検出手段が検出した時刻を出力する。時刻を表わす情報を書込む時以降が、第２の装置において、時刻の適切さを求められる時期である。これにより、第２の装置の検出手段は、より適切に制御される。その結果、一度に複数の装置の時刻を設定でき、複数の装置の時刻に差異が生じても差異をより適切に解消でき、かつ安価な時刻検出システムを提供することができる。
【００２４】
また、上述の書込み手段は、受付手段が時刻を表わす情報を書込むことを許可する旨の指令を受付けた後に受信手段が時刻を受信すると、記録媒体に検出手段が検出した時刻を表わす情報を書込むための手段を含むことが望ましい。
【００２５】
すなわち、書込み手段は、第２の装置の受付手段が時刻を表わす情報を書込むことを許可する旨の指令を受付けた後に第２の装置の受信手段が時刻を受信すると、記録媒体に検出手段が検出した時刻を表わす情報を書込む。時刻が受信された後、記録媒体に時刻を表わす情報が書込まれるので、第２の装置の検出手段は、さらに適切に制御される。その結果、一度に複数の装置の時刻を設定でき、複数の装置の時刻に差異が生じても差異をさらに適切に解消でき、かつ安価な時刻検出システムを提供することができる。
【００２６】
また、上述の時刻を表わす情報を書込むための手段は、音声の情報を書込むための手段を含むことが望ましい。
【００２７】
すなわち、書込み手段は、記録媒体に検出手段が検出した時刻を表わす音声の情報を書込む。音声の情報を書込むために第２の装置の検出手段が制御されるので、第２の装置の検出手段に対する制御は、特に適切に制御される。その結果、一度に複数の装置の時刻を設定でき、複数の装置の時刻に差異が生じても差異を特に適切に解消でき、かつ安価な時刻検出システムを提供することができる。
【００２８】
また、上述の第２の装置は、制御手段が検出手段を制御しかつ受付手段が時刻を表わす情報を書込むことを許可する旨の指令を受付けた後に検出手段が検出した時刻を表わす音声、および書込み手段が記録媒体に書込んだ情報を表わす音声を出力するための出力手段をさらに含むことが望ましい。
【００２９】
すなわち、第２の装置の出力手段は、第２の装置の制御手段が第２の装置の検出手段を制御しかつ第２の装置の受付手段が時刻を表わす情報を書込むことを許可する旨の指令を受付けた後に第２の装置の検出手段が検出した時刻を表わす音声、および書込み手段が記録媒体に書込んだ情報を表わす音声を出力する。これにより、第２の装置の検出手段が検出する時刻は第２の装置の出力手段により確認できる。第２の装置の検出手段が検出した時刻を表わす音声を出力するための手段と、書込み手段が記録媒体に書込んだ情報を表わす音声を出力するための手段とが兼用される。その結果、一度に複数の装置の時刻を設定できかつより安価な時刻検出システムを提供することができる。
【発明の効果】
【００３０】
本発明に係る時刻検出システムは、一度に複数の装置の時刻を設定できかつコストを安くすることができる。
【発明を実施するための最良の形態】
【００３１】
以下、図面を参照しつつ、本発明の実施の形態について説明する。以下の説明では、同一の部品には同一の符号を付してある。それらの名称および機能も同一である。したがって、それらについての特別な説明は繰返さない。
【００３２】
図１を参照して、本実施の形態に係る親子電話は、親機１０および子機２０を含む。本実施の形態に係る親子電話は、１組の時刻検出システムを構成する。図２を参照して、親機１０は、ＣＰＵ（Central Processing Unit）３２と、回線３４と、ＲＴＣ（Real Time Clock）３６と、スピーカ３８と、通信部４０と、留守キー４２と、音声発生回路４４と、充電装置４６と、メモリ４８とを含む。ＣＰＵ３２は、親機１０の各ブロックを制御する。回線３４は、電話回線を通じて、他の電話機と通信する。ＲＴＣ３６は、時刻を検出する。スピーカ３８は、後述するように、ＣＰＵ３２がＲＴＣ３６を制御しかつ留守キー４２が時刻を表わす情報を書込むことを許可する旨の指令を受付けた後にＲＴＣ３６が検出した時刻を表わす音声、およびＣＰＵ３２がメモリ４８に書込んだ情報を表わす音声を出力する。通信部４０は、子機２０との間でデータを通信する。これにより、通信部４０は、子機２０が送信した時刻を受信する。留守キー４２は、ユーザから留守録モードになる旨の指令を受付ける。本実施の形態の場合、「留守録モードになる旨の指令」とは、メモリ４８に時刻を表わす情報を書込むことを許可する旨の指令を意味する。音声発生回路４４は、スピーカ３８が音声を出力するためのデータを生成する。充電装置４６は、後述する子機２０の充電池６０を充電する。メモリ４８は、時刻を表わす情報や着信があったときのメッセージを記録する記録媒体である。
【００３３】
図３を参照して、子機２０は、ＣＰＵ５２と、通信部５４と、テンキー５６と、ＬＣＤ（Liquid Crystal Display）５８と、充電池６０と、スピーカ６２と、マイク６４と、ＲＴＣ６６と、音声発生回路６８とを含む。ＣＰＵ５２は、子機２０の各部を制御する。通信部５４は、親機１０との間でデータを通信する。テンキー５６は、「１」〜「９」および「０」の各値を受付けることにより、時刻を受付ける。ＬＣＤ５８は、表示によりユーザに情報を出力する。充電池６０は、子機２０の各部に電力を供給する。スピーカ６２は、通話先から送信された音声を出力する。マイク６４は、通話先に送信するために、ユーザの音声をデータに変換する。ＲＴＣ６６は、時刻を検出する。音声発生回路６８は、スピーカ６２が出力する音声のデータを発生する。
【００３４】
図４を参照して、親子電話で実行されるプログラムは、時刻の設定に関し、以下のような制御構造を有する。
【００３５】
ステップ２１（以下、ステップをＳと略す）にて、子機２０のテンキー５６は、ユーザからの入力を受付ける。子機２０のＣＰＵ５２は、ユーザの入力が子機２０を時刻設定モードに変更する旨の指令を表わすと判断する。ＣＰＵ５２は、時刻設定モードに移る。
【００３６】
Ｓ２２にて、ＲＴＣ６６は時刻を検出する。Ｓ２３にて、テンキー５６は、ユーザから、現在時刻を受付ける。Ｓ２４にて、ＣＰＵ５２は、ＲＴＣ６６が検出した時刻が、テンキー５６が受付けた時刻に一致するように、ＲＴＣ６６を制御する。本実施の形態の場合、ＣＰＵ５２は、ＲＴＣ６６が予め記憶するパラメータを変更することにより、ＲＴＣ６６を制御する。Ｓ２５にて、ＣＰＵ５２は、ＲＴＣ６６が検出した時刻を通信部５４に出力する。通信部５４は、ＣＰＵ５２がＲＴＣ６６を制御した後にＲＴＣ６６が検出した時刻を、親機１０に送信する。
【００３７】
Ｓ２６にて、親機１０の通信部４０は、子機２０から送信された時刻を受信する。Ｓ２７にて、ＣＰＵ３２は、ＲＴＣ３６が検出した時刻が、通信部４０が受信した時刻に一致するように、ＲＴＣ３６を制御する。本実施の形態の場合、ＣＰＵ３２は、ＲＴＣ３６が予め記憶するパラメータを変更することにより、ＲＴＣ３６を制御する。
【００３８】
図５を参照して、本実施の形態に係る親子電話で実行されるプログラムは、時刻の確認に関し、以下のような制御構造を有する。
【００３９】
Ｓ３１にて、留守キー４２は、ユーザからのキー入力を受付ける。Ｓ３２にて、ＲＴＣ３６は、時刻を検出する。ＲＴＣ３６は、検出した時刻をＣＰＵ３２に出力する。Ｓ３３にて、音声発生回路４４は、ＲＴＣ３６が出力した時刻を音声データに変換する。Ｓ３４にて、スピーカ３８は、音声発生回路４４が出力した音声データを出力する。これにより、ＲＴＣ３６が検出した時刻が読み上げられる。
【００４０】
Ｓ３５にて、ＲＴＣ３６は、検出した時刻を通信部４０に出力する。通信部４０は、時刻を子機２０に送信する。Ｓ３６にて、子機２０の通信部５４は、親機１０が送信した時刻を受信する。Ｓ３７にて、ＬＣＤ５８は、ＣＰＵ５２の制御により、通信部５４が時刻を受信した時点でＲＴＣ６６が検出した時刻および通信部５４が受信した時刻を出力する。ＣＰＵ５２は、テンキー５６を介して、時刻の修正が必要か否かの指示を受付ける。
【００４１】
Ｓ３８にて、ＣＰＵ５２は、時刻の修正が不要か否かを判断する。時刻の修正が不要と判断した場合（Ｓ３８にてＹＥＳ）、処理はＳ４６へと移される。もしそうでないと（Ｓ３８にてＮＯ）、処理はＳ３９へと移される。Ｓ３９にて、テンキー５６は、親機１０の時刻と子機２０の時刻とのどちらが正確なのかの指定を受付ける。
【００４２】
Ｓ４０にて、ＣＰＵ５２は、テンキー５６が受付けた指定が、親機１０の時刻がより正確であることを表わすか否かを判断する。親機１０の時刻がより正確であることを表わすと判断した場合（Ｓ４０にてＹＥＳ）、処理はＳ４１へと移される。もしそうでないと（Ｓ４０にてＮＯ）、処理はＳ４２へと移される。
【００４３】
Ｓ４１にて、ＣＰＵ５２は、ＲＴＣ６６が検出した時刻が、通信部５４が受信した親機１０の時刻に一致するように、ＲＴＣ６６を制御する。Ｓ４２にて、ＣＰＵ５２は、通信部５４が受信した親機１０の時刻のデータを廃棄する。
【００４４】
Ｓ４３にて、ＣＰＵ５２は、ＲＴＣ６６の時刻を通信部５４に出力する。通信部５４は、ＲＴＣ６６が検出した時刻を送信する。Ｓ４４にて、親機１０の通信部４０は、子機２０が送信した時刻のデータを受信する。
【００４５】
Ｓ４５にて、ＣＰＵ３２は、通信部４０が出力したデータを、ＲＴＣ３６に出力する。ＲＴＣ３６は、出力された時刻データに基づき、時刻を設定する。Ｓ４６にて、親機１０のＣＰＵ３２は、留守録モードに移る。
【００４６】
以上のような構造およびフローチャートに基づく、親子電話の動作について説明する。ＣＰＵ５２は、子機２０を時刻設定モードに移す（Ｓ２１）。モードが移されると、子機２０のＲＴＣ６６は、時刻を検出する（Ｓ２２）。時刻が取出されると、テンキー５６は、時刻の設定を受付ける（Ｓ２３）。
【００４７】
テンキー５６が時刻を受付けると、ＣＰＵ５２は、ＲＴＣ６６が検出した時刻が、テンキー５６が受付けた時刻（第１の時刻）に一致するように、ＲＴＣ６６を制御する（Ｓ２４）。ＲＴＣ６６が制御されると、通信部５４は、ＣＰＵ５２がＲＴＣ６６を制御した後にＲＴＣ６６が検出した時刻を送信する（Ｓ２５）。
【００４８】
時刻が送信されると、親機１０の通信部４０は、時刻を受信する（Ｓ２６）。時刻が受信されると、親機１０のＣＰＵ３２は、ＲＴＣ３６が検出した時刻が、通信部４０が受信した時刻に一致するように、ＲＴＣ３６を制御する（Ｓ２７）。
【００４９】
その後、親機１０の留守キー４２は、留守録モードになる旨の指令を受付ける（Ｓ３１）。指令が受付けられると、ＲＴＣ３６は、時刻を検出する（Ｓ３２）。時刻が検出されると、音声発生回路４４は、ＲＴＣ３６が検出した時刻を音声データに変換する（Ｓ３３）。時刻が変換されると、音声発生回路４４は、変換した音声データをスピーカ３８に出力する。スピーカ３８は、音声を出力する（Ｓ３４）。これにより、ＲＴＣ３６が検出した時刻を表わす音声が出力される。
【００５０】
音声がスピーカ３８から出力されると、通信部４０は、ＲＴＣ３６が検出した時刻を子機２０に送信する（Ｓ３５）。親機１０の通信部４０は、ＣＰＵ３２がＲＴＣ３６を制御した後、留守録モードになる旨の指令を受付けると、ＲＴＣ３６が検出した時刻を送信することとなる。また、子機２０の通信部５４は、いったん時刻を送信した後に、親機１０から時刻を受信することとなる（Ｓ３６）。時刻が受信されると、ＬＣＤ５８は、通信部５４が時刻を受信した時点でＲＴＣ６６が検出した時刻および通信部５４が受信した時刻を出力する。
【００５１】
ＣＰＵ５２は、テンキー５６を介して、時刻の修正が必要か否かの指示を受付ける（Ｓ３７）。修正が必要か否か受付けられると、ＣＰＵ５２は、時刻の修正が不要か否かを判断する（Ｓ３８）。この場合、時刻の修正が必要と判断されると（Ｓ３８にてＮＯ）、テンキー５６は、親機１０および子機２０のどちらの時刻が正確かの指定を受付ける（Ｓ３９）。これにより、テンキー５６は、子機２０の通信部５４が時刻を出力した後は、通信部５４が時刻を受信した時点でＲＴＣ６６が検出した時刻および通信部５４が受信した時刻のいずれかの指定により、これらの時刻のいずれかである時刻（第２の時刻）を受付けることとなる。指定が受付けられると、ＣＰＵ５２は、テンキー５６が受付けた指定が、親機１０の時刻がより正確であることを表わすか否かを判断する（Ｓ４０）。この場合、親機１０の時刻がより正確であることを表わすと判断されると（Ｓ４０にてＹＥＳ）、ＣＰＵ５２は、ＲＴＣ６６が検出した時刻が、通信部５４が受信した親機１０の時刻に一致するように、ＲＴＣ６６を制御する（Ｓ４１）。これにより、ＣＰＵ５２は、通信部５４が時刻を受信した時点でＲＴＣ６６が検出した時刻および通信部５４が受信した時刻をＬＣＤ５８が出力した後、テンキー５６が第２の時刻を受付けると、ＲＴＣ６６が検出する時刻が第２の時刻に一致するように、ＲＴＣ６６を制御することとなる。ＣＰＵ５２がＲＴＣ６６を制御した後、通信部５４は、ＲＴＣ６６が検出した時刻を送信する（Ｓ４３）。
【００５２】
親機１０の通信部４０は、時刻のデータを受信する（Ｓ４４）。ＲＴＣ３６は、受信した時刻に応じて時刻を修正する（Ｓ４５）。時刻が修正されると、ＣＰＵ３２は、留守録モードに移る（Ｓ４６）。これにより、ＣＰＵ３２は、留守キー４２が時刻を表わす情報を書込むことを許可する旨の指令を受付けた後に通信部４０が時刻を受信すると、外部から着信があるたびに、メモリ４８にＲＴＣ３６が検出した時刻を表わす音声の情報を書込むこととなる。また、スピーカ３８は、図示しない再生キーが押されるたびに、ＣＰＵ３２がメモリ４８に書込んだ情報を表わす音声を出力することとなる。
【００５３】
以上のようにして、本実施の形態に係る親子電話は、子機が受付けた時刻の設定に応じてＲＴＣが検出する時刻を修正する。親子電話は、子機が主に使用される電話機である。そのため、子機に液晶の表示装置などがついている。親機はほとんど使用されない。表示装置などをできるだけ取り除くことにより親子電話のコストは下がる。親機において日時を確認するためだけに専用のキーを設けることは、コストアップの原因になる。専用のキーを設けることは、親機を大きくする原因にもなる。コンパクトにするのが目的の電話機において、日時を確認するためのキーを設けることは、無駄なことである。本実施の形態に係る親子電話は、親機に時刻の設定や日時を確認するためだけのキーを必要としない。メッセージを録音できるように操作したとき日時の確認を可能にすれば、それ以外に日時の確認を求められないと考えられるからである。日時の確認を求められないと考えられる理由は、親機で日時の情報が必要な場合が、ユーザが不在中に誰かがメッセージを録音した場合だけという点にある。これにより、コストダウンとコンパクト化とを図ることができる。その結果、一度に親機および子機の時刻を設定できかつ安価な親子電話を提供することができる。
【００５４】
なお、Ｓ３３およびＳ３４における音声データへの変換およびスピーカ３８への出力に代えて、Ｓ３６における時刻の受信後、ＣＰＵ５２は、受信した時刻をＬＣＤ５８に表示させてもよい。音声データへの変換およびスピーカ３８への出力とともに、ＬＣＤ５８への表示を実施してもよい。
【００５５】
また、留守キー４２は、親機１０の代わりに子機２０にあってもよい。この場合、Ｓ３１にて、子機２０から親機１０へ、時刻を送信する旨の信号が送信される。Ｓ３２にて、信号が受信された後、ＲＴＣ３６は、時刻を検出する。Ｓ３３およびＳ３４は実施されない。Ｓ３６の実施後、Ｓ３７の実施前に、音声発生回路６８は、Ｓ３６にて受信した時刻を音声データに変換する。スピーカ３８は、音声発生回路６８が出力した音声データを出力する。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５７】
【図１】本発明の実施の形態に係る親子電話の外観図である。
【図２】本発明の実施の形態に係る親機の制御ブロック図である。
【図３】本発明の実施の形態に係る子機の制御ブロック図である。
【図４】本発明の実施の形態に係る時刻の設定処理の制御の手順を示すフローチャートである。
【図５】本発明の実施の形態に係る時刻の確認処理の制御の手順を示すフローチャートである。
【符号の説明】
【００５８】
１０  親機、２０  子機、３２，５２  ＣＰＵ、３４  回線、３６，６６  ＲＴＣ、３８，６２  スピーカ、４０，５４  通信部、４２  留守キー、４４，６８  音声発生回路、４６  充電装置、５６  テンキー、５８  ＬＣＤ、６０  充電池、６４  マイク。
【図１】
2006093942.tif 000003
【図２】
2006093942.tif 000004
【図３】
2006093942.tif 000005
【図４】
2006093942.tif 000006
【図５】
2006093942.tif 000007